(57)【要約】【課題】      安定した針打ちをする事が可能となり、さらに構造が簡略化し、変形防止部材を収納フレーム部に装着しているため、安定した閉じ能力を得る電動ステープラを提供する。【解決手段】      電動ステープラにおいて、フレーム部が自重で針を押圧し書類束等を貫通綴着させるために、収納フレーム部とアーム部が枢着部を支点に上下動することによりアーム部が収納フレーム部に収納された針を押下げ、それに伴い収納フレーム部が枢着部を支点に書類束を押さえつけて針を貫通綴着するとともに、収納フレーム部とアーム部を書類束等を綴着する元の位置に戻す為に、収納フレーム部の下部に弾性体を装備し、さらに収納フレーム部が使用頻度により変形しないように変形防止部材を収納フレーム部の先端に嵌着した構成である。【選択図】  図１
2005254431.tif 000002
【特許請求の範囲】
【請求項１】
ケース本体と、回転駆動装置（モータ）及びギアで構成された駆動部と、電気回路を装備した基板部と、ステープル(綴じ針)を収納する収納フレーム部と、該収納フレーム部に収納されたステープル(綴じ針)を上部から押圧し書類束等を貫通綴着させるアーム部とからなる電動ステープラにおいて、前記フレーム部が自重で針を押圧し書類束等を貫通綴着させるために、前記収納フレーム部とアーム部が枢着部を支点に上下動することによりアーム部が収納フレーム部に収納された針を押下げ、それに伴い収納フレーム部が枢着部を支点に書類束を押さえつけて針を貫通綴着するとともに、
収納フレーム部とアーム部を書類束等を綴着する元の位置に戻す為に、収納フレーム部の下部に弾性体を装備し、さらに収納フレーム部が使用頻度により変形しないように変形防止部材を収納フレーム部の先端に嵌着したことを特徴とする電動ステープラ
【発明の詳細な説明】
【技術分野】
【０００１】
本発明は、書類等のシート束をステープル(綴じ針)で穿孔し、かしめて閉じる電動ステープラに関し、特に、アーム部が針を押圧することにより、フレーム部も同時に押圧され、自重でシート束を穿孔し、さらにはフレームが使用頻度により変形してしまう事を防止する構造の電動ステープラに関する。
【背景技術】
【０００２】
従来、書類等のシート束をファイルするための道具としてステープラが多く使用されている。手動のステープラが多いが、シート束が厚いと力が必要となる。そこで、人力で綴じ器を押圧するのに替えて電動式のステープラが考案された。電動ステープラは電気の駆動力で自動的に綴じることが可能であるため便利に利用されている。典型的な電動ステープラの例としては、特開２０００−３１７８６１号で開示された技術がある。
【０００３】
開示されている電動ステープラは、打ち出しアームがモータの駆動で押圧部材の下方への移動に伴って収納フレームが自重で先端側を下方に移動し、綴じ対象物の上面に収納フレームの先端下面が押し当てられる構造である。吊下げ部材の引っ掛け部と支持部との間の寸法は、押圧部材を最下方へ移動する際に、収納フレームに納められた綴じ針が打ち出し口から押し出されるように、押圧部材の移動による打ち出しアームの先端側が下方へ移動できる寸法に形成されている。
【０００４】
また、収納フレームは、針収納部を備えたケースと、このケースの上面を覆うケースカバーとで構成されており、ケースカバーの長さ方向にある側壁とケースの長さ方向にある側面が、お互いに嵌り合う長い溝と長い突部とからなるケースの組み付け部で、収納フレームの前端側からケースカバーからケースを引き出し、綴じ針の装填を可能にした構成である。
さらに、ベースと収納フレームの先端との間に差し入れられるつづり込み対象物の端部が当接することによりモータの電気回路を閉じさせるスイッチが、収納フレームの先端側から後端側に向けて移動操作可能に設けられた移動部材に備えてある構成でもある。
【０００５】
従前の電動ステープラは、作動させるためのスイッチ自体が先端部から後端部まで移動する構造であるため、固定されたスイッチに比べて長期に亘る使用に対する耐久性が悪く故障しやすいという欠点があった。また、吊下げ部材の引っ掛け部と支持部との間の寸法が、押圧部材の嵌入を許容する程度の寸法である必要がある為に、必然的にある程度の大きさとならざるを得なかった。また、収納フレーム部が使用頻度により変形してしまう問題があった。
そこで、簡単な構造で確実に針を貫通綴着できる構造の電動ステープラの開発が待たれていた。
【特許文献１】特開２０００−３１７８６１号
【発明の開示】
【発明が解決しようとする課題】
【０００６】
上記問題を解決するため、本発明に係る電動ステープラは、アーム部が収納フレーム部に収納された針を押下げ、それに伴い収納フレーム部が枢着部を支点に書類束を押さえつけて針を貫通綴着するとともに、収納フレーム部とアーム部を書類束等を綴着する元の位置に戻す為に、収納フレーム部の下部に弾性体を装備し、さらに収納フレーム部が使用頻度により変形しないように変形防止部材を収納フレーム部の先端に嵌着した電動ステープラを提供することを目的としている。
【課題を解決するための手段】
【０００７】
上記の目的を達成するために本発明に係る電動ステープラは、ケース本体と、回転駆動装置（モータ）及びギアで構成された駆動部と、電気回路を装備した基板部と、ステープル(綴じ針)を収納する収納フレーム部と、該収納フレーム部に収納されたステープル(綴じ針)を上部から押圧し書類束等を貫通綴着させるアーム部とからなる電動ステープラにおいて、前記フレーム部が自重で針を押圧し書類束等を貫通綴着させるために、前記収納フレーム部とアーム部が枢着部を支点に上下動することによりアーム部が収納フレーム部に収納された針を押下げ、それに伴い収納フレーム部が枢着部を支点に書類束を押さえつけて針を貫通綴着するとともに、収納フレーム部とアーム部を書類束等を綴着する元の位置に戻す為に、収納フレーム部の下部に弾性体を装備し、さらに収納フレーム部が使用頻度により変形しないように変形防止部材を収納フレーム部の先端に嵌着した構成である。
【発明の効果】
【０００８】
以上に説明したように本発明にかかる電動ステープラによれば、
１．収納フレーム部が自重により針を貫通綴着するため、従来よりも安定した針打ちをする事が可能となり、さらに構造が簡略化し、変形防止部材を収納フレーム部に装着しているため、安定した動作を可能にする。またこれにより安定した閉じ能力を得ることが可能となる。
【発明を実施するための最良の形態】
【０００９】
以下に本発明に係る電動ステープラを図面に示す実施例により詳細に説明する。図１は本発明の電動ステープラの側面図であり、図２は収納フレーム部及びアーム部の断面側面図であり、図３は作動前の収納フレーム部及びアーム部の側面断面図である。また、図４は貫通綴着直前の収納フレーム部及びアーム部の側面断面図であり、図５は針が貫通した時の収納フレーム部及びアーム部の側面断面図である。
本発明にかかる電動ステープラ１０は、図１で示す通りケース本体と、駆動部と、基板部と、収納フレーム部２０と、アーム部３０と、作動バーと、固定スイッチ部とからなる。
【００１０】
ケース本体と駆動部と基板部と作動バーと固定スイッチ部は従来からの構成を利用することができる。本発明は収納フレーム部２０と、アーム部３０の構成に特徴があるため、この部分を詳細に説明する。
【００１１】
収納フレーム部２０は、書類束等１２を綴じる際に使用される綴じ針（ステープル）１４を収容する箱体で、ステープルガイド部を備える。このステープルガイド部は、従来販売されてきた電動ステープラのステープルガイド部と同じであり、収納フレーム部２０に収納されたステイプル（綴じ針）１４をステープラの先端に押圧誘導するものであり、押圧のためのバネ体であるスプリングと、移動体であるスライドプレートと、ステープル（綴じ針）を前方に押す下向きコ字形のステープラガイドと、シャフトと、シャフトの後端でスイッチと接合するキャップとからなる。また、収納フレーム部２０は、後端で枢着部４２と枢着し、先端は上下動可能となっている。
【００１２】
アーム部３０は、ギアの突起（図示しない）と係合する半円形の係合円部と、先端に装備されているステープル（綴じ針）押し下げ用の平板状のドライバとからなり、収納フレーム２０に収納されたステイプル（綴じ針）の最先端に並んだ一つのステープル（綴じ針）をステープルの列から分離して圧力をかけて押し下げて書類等の端部を貫通して書類を綴着する動作を完成させる。係合円部は、約半円形に形成されており、さらに、アーム部３０も収納フレーム部２０と同様に、後端の枢着部４４で枢着されており、ギアの突起（図示しない）の円運動に連動してアーム部３０を上下動させる。
【００１３】
弾性体５０は、収納フレーム部２０の下部に当接するように平板に凸部を設けた形状であり、収納フレーム部２０が押し下げられた際に、元に戻す程度の弾性力を持たせる。この実施例の弾性体５０は、平板に凸部を設けた形状であるが、巻きバネ式の弾性体で代用することも可能である。
【００１４】
本発明の電動ステープラ１０は、収納フレーム部２０が自重で針を押圧し書類束等を貫通綴着させるために、収納フレーム部２０とアーム部３０が枢着部４２，４４を支点に上下動することによりアーム部３０が収納フレーム部２０に収納された針１４を押下げ、それに伴い収納フレーム部２０が枢着部４２を支点に書類束を押さえつけて針１４を貫通綴着するとともに、収納フレーム部２０とアーム部３０を書類束等１２を綴着する元の位置に戻す為に、収納フレーム部の下部に弾性体５０を装備している。
【００１５】
アーム部３０が収納フレーム部２０に収納されている針１４を押すことにより、収納フレーム２０が同時に下に押し下げられる。そのまま書類束１２の上部に収納フレーム２０が当接することにより、アーム部３０は針１４を一つだけ押し下げて、書類束１２を貫通綴着する。貫通綴着の動作が終わると、収納フレーム部２０の下部に当接するように設けられた弾性体５０が、収納フレーム２０を押し上げてもとの位置に戻す。これにより、常に針１４を押して書類束を貫通綴着する事が可能となる。
【００１６】
また、収納フレーム部２０が長年の使用により、前端部が変形しないように、変形防止部材６０を装備しており、収納フレーム部２０が変形してしまう事を予め防いでいる。変形防止部材は、収納フレーム部２０の前端に覆うように装着され、針が横に広がるのを防いでいる。
【図面の簡単な説明】
【００１７】
【図１】本発明の電動ステープラの側面図
【図２】収納フレーム部及びアーム部の断面側面図
【図３】作動前の収納フレーム部及びアーム部の側面断面図
【図４】貫通綴着直前の収納フレーム部及びアーム部の側面断面図
【図５】針が貫通した時の収納フレーム部及びアーム部の側面断面図
【符号の説明】
【００１８】
１０      電動ステープラ
１２      シート束（書類束）
１４      ステープル（綴じ針）
２０      収納フレーム部
３０      アーム部
４２      枢着部
４４      枢着部
５０      弾性体
６０      変形防止部材
【図１】
2005254431.tif 000003
【図２】
2005254431.tif 000004
【図３】
2005254431.tif 000005
【図４】
2005254431.tif 000006
【図５】
2005254431.tif 000007